(57)【要約】      （修正有）【課題】ハリスに折れ曲がりクセができず、台紙から仕掛を引き出し易い。【解決手段】台紙は、釣針を係止する針掛片およびハリスを係止するハリスガイドが設けられた本体部分と、ハリスの延長部分を通し孔にて係止する折り返し部分とが連続するとともに、両部分の間に設けられた折曲線を介して折り曲げられており、ハリスは、折れ曲がりのクセがつきにくいよう台紙の折り曲げられた部分の外側に掛けられて折り返されるとともに、ハリスガイド及び通し孔に係止されている。また、台紙の先端部に設けられた針掛片は、本体部分の先端部より突出している。【選択図】図１
0003137772.tif 000002
【実用新案登録請求の範囲】
【請求項１】
釣針とそれに結節されたハリスとを含む釣り用仕掛を収容すべく、台紙および収納袋を有する包装体であって、
前記台紙は、釣針を係止する針掛片およびハリスを係止するハリスガイドが設けられた本体部分と、前記ハリスの延長部分を通し孔にて係止する折り返し部分とが連続するとともに、両部分の間に設けられた折曲線を介して折り曲げられており、
ハリスは、折れ曲がりのクセがつきにくいよう前記台紙の折り曲げられた部分の外側に掛けられて折り返されるとともに、上記のハリスガイドおよび通し孔に係止され、
台紙を収納袋から引き出さない状態でも仕掛が引き出され得ることを特徴とする釣り用仕掛の包装体。
【請求項２】
前記台紙に設けられた針掛片は、本体部分の先端付近に着脱自在に取り付けられるとともに、針掛片の先端部が本体部分の先端部より突出していることを特徴とする請求項１に記載した釣り用仕掛の包装体。
【請求項３】
前記台紙におけるハリスガイドおよび通し孔が、ハリスを挿入できる自由端を一方の側にもつ舌状片を有するものであり、通し孔のうち一以上が、切込によって折り返し部分の外縁に通じたものであることを特徴とする請求項１または２に記載した釣り用仕掛の包装体。
【請求項４】
前記収納袋には、前記台紙を収納したとき前記針掛片を露出させるための窓部が形成されており、該窓部は、再剥離可能な接着剤が塗布された蓋により開閉自在に封止されていることを特徴とする請求項１〜３のいずれかに記載した釣り用仕掛の包装体。
【考案の詳細な説明】
【技術分野】
【０００１】
本考案は、釣針とそれに結節（接続）されたハリスとを含む仕掛を係止する台紙と、この台紙を収納する収納袋とを含む、釣り用仕掛の包装体に関するものである。
【背景技術】
【０００２】
従来、釣り用仕掛を収納するものとしては、台紙に釣針を引っ掛けるとともにハリスを巻き付けて、その台紙を収納袋に入れた商品包装体がある。このような商品包装体には様々な構造のものがあり、例えば、幹糸から多数の枝針を延出させた釣り用仕掛を係合させる台紙において、幹糸と釣り針とを結ぶハリスや結び目に捩じれ癖をつけることなく保持し、台紙から仕掛を取り外したときに、釣り針の針先が幹糸方向を向いた状態となるようにした仕掛係合具が開示されている（特許文献１参照）。
【０００３】
また、台紙を袋から出すことなく仕掛全体を取り出し得るようにして、包装袋が不用意に散乱することを防止した釣り用仕掛の包装形態も開示されている（特許文献２参照）。
【特許文献１】特開２００５−１８５１３６号公報
【特許文献２】特開２００２−２１８８８８号公報
【考案の開示】
【考案が解決しようとする課題】
【０００４】
特許文献１の仕掛係合具は、幹糸から多数の枝針を延出させた釣り仕掛を係合させるための台紙であって、台紙に仕掛を係合させた場合における枝針の捩じれ癖の発生を防止しようとするものである。しかしながら、ハリスは台紙上に直線状に配置しているので、長いハリスを収納するときはハリスを台紙上で折り曲げるか、ハリスの長さを台紙の長さよりも短くしなければならない。したがって、台紙より長いハリスを収納する場合は、ハリスに折れ曲がりクセが生じるという問題点があった。
【０００５】
特許文献２の包装形態は、袋体の開口部に道糸、ハリス、釣針およびスナップより構成されている仕掛をスプールに捲着し、そのスプールの一部を前記開口部からはみ出すように収納したものである。しかしながら、この構造では、釣針を摘んで仕掛を袋体から引き出すことは難しかった。
【０００６】
請求項に係る考案は以上の点を考慮したもので、釣針とハリスとを含む仕掛を台紙によって保持するとともに、ハリスに折れ曲がりクセをつけず、釣針を摘んで仕掛を引き出すことが難しくない、構造の簡単な釣り用仕掛の包装体を提供するものである。
【課題を解決するための手段】
【０００７】
請求項１の釣り用仕掛の包装体は、台紙および収納袋を有する包装体であって、
・  前記台紙は、釣針を係止する針掛片およびハリスを係止するハリスガイドが設けられた本体部分と、前記ハリスの延長部分を通し孔にて係止する折り返し部分とが連続するとともに、両部分の間に設けられた折曲線を介して折り曲げられており、
・  ハリスは、折れ曲がりのクセがつきにくいよう前記台紙の折り曲げられた部分の外側に掛けられて折り返されるとともに、上記のハリスガイドと通し孔に係止され、
・  台紙が収納袋から引き出されない状態ででも仕掛が引き出され得る
ことを特徴としている。
【０００８】
この考案の包装体によると、釣針とハリスとを含む釣り用仕掛は、釣針が台紙上の針掛片に係止されるとともに、ハリスがハリスガイドと通し孔に係止され、かつ、台紙の折り曲げられた部分の外側に掛けられて折り返されることにより、台紙上に安定的に保持される。これに関し、ハリスは、台紙の折り曲げられた部分の外側に掛けられて折り返されているので、台紙そのものの外縁（１枚の台紙の端部）に掛けられて折り返されている場合とは違って、その状態で長期間保管されてもハリスに折れ曲がりクセがつかない。これにより、台紙から仕掛を引き出すとき、ハリスが折曲線、ハリスガイドおよび通し孔に引っ掛かることなく円滑に通過するので、容易に引き出すことができる。
【０００９】
請求項２の釣り用仕掛の包装体は、さらに、前記台紙に設けられた針掛片が、本体部分の先端付近に着脱自在に取り付けられるとともに、針掛片の先端部が本体部分の先端部よりも上に突出していることを特徴とする。
【００１０】
この包装体によれば、針掛片の先端が台紙の先端より突出しているので、その針掛片に係止された釣針は、釣針の大部分が台紙より露出した状態になる。これにより、仕掛を取り出すときには、釣針のフトコロ部等を指先などで摘んで引っ張り出すことにより、釣針とそれに結節されたハリスを容易に引き出すことができる。
【００１１】
請求項３の釣り用仕掛の包装体はさらに、前記台紙におけるハリスガイドおよび通し孔が、ハリスを挿入できる自由端を一方の側にもつ舌状片を有するものであり、通し孔のうち一以上が、切込によって折り返し部分の外縁に通じたものであることを特徴とする。
【００１２】
この包装体では、ハリスを台紙に取り付けるとともに台紙の表側から裏側へ、または裏側から表側へとハリスの挿通位置を変更することが容易であり、そうした作業のためにカギ針などの冶具を用いる必要がない。それは、a)ハリスガイドおよび通し孔が上記のとおり舌状片を有するものであるため、その自由端の側からハリスを横へ（長さ方向と直角方向へ）ずらすことによってハリスガイドおよび通し孔にハリスを通すことができること、b)通し孔の一以上が切込によって折り返し部分の外縁に通じたものであれば、その切込を利用して容易に、ハリスの挿通位置を台紙の表・裏間で変更することができること、による。このような点から、包装体の台紙に対して釣針およびハリスを見栄え良く取り付けることが、迅速かつ低コストで行えることになる。
【００１３】
請求項４の釣り用仕掛の包装体はさらに、前記台紙を収納したとき前記針掛片を露出させるための窓部が前記収納袋に形成されており、該窓部は、再剥離可能な接着剤が塗布された蓋（フタ）により開閉自在に封止されていることを特徴とする。
針掛片に係止された針が露出する側に上記蓋（の糊面）を設けてそれが開くようにすると、その蓋を開いたとき釣針がとくに取り出しやすくて有利である。
【００１４】
この包装体では、収納袋の上部に形成されている蓋を上方に捲り上げて窓部を開くと、台紙の上部に設けられた針掛片が露出される。前記針掛片には釣針が係止されているので、台紙を引き出すことなく釣針を指先等で摘んで引っ張り上げることができ、ハリスが接続された釣針を容易に引き出すことができる。また、蓋には再剥離可能な接着剤が塗布されているので、収納袋の蓋を閉じれば、台紙に係止されている仕掛を保管することができるとともに、必要に応じて、繰り返し仕掛を取り出すことができる。
【００１５】
従来、仕掛を使用するために包装袋から台紙を出し入れすると、台紙の角部や釣針が包装袋の縁部に引っ掛かって包装袋が破れることが多かった。しかし、上記のようにした請求項の包装体では、台紙を出し入れする必要がないため、包装袋が破損することがない。
【考案の効果】
【００１６】
請求項１に係る釣り用仕掛の包装体によると、釣針とハリスとを含む仕掛が台紙上に安定的に保持されるほか、ハリスに折れ曲がりクセがつかないので台紙から仕掛を容易に引き出せるという利点がある。
請求項２の包装体では、台紙から露出した釣針のフトコロ部等を指先などで簡単に摘まむことができ、したがってとくに容易に仕掛を取り出すことができる。
【００１７】
請求項３に係る釣り用仕掛の包装体では、仕掛を台紙に係止するとき、カギ針などの冶具を用いなくてもハリスガイドおよび通し孔に容易にハリスを挿通でき、台紙の表側から裏側へ、または裏側から表側へとハリスを挿通することも容易である。
請求項４の包装体では、収納袋の上部に形成されている蓋を上方に捲り上げることによって、台紙を引出さなくても釣針を指先等で摘んで仕掛を容易に引き出すことができる。蓋は何度も開閉することができ、仕掛を保管したり繰り返し別の仕掛を取り出すことも容易である。収納袋からの台紙の出し入れが不要なので、出し入れの際に包装袋が破損することが避けられる。
【考案を実施するための最良の形態】
【００１８】
本考案の実施形態について、図面に基づいて説明する。図１は、考案による包装体の台紙の外面側を示す展開図であり、図２〜図４は、台紙の折り畳み手順を示した説明図である。図において、同一部材または同一機能を有する部材には同一の符号を付与している。なお、本実施形態において、仕掛７とは、ハリス７２が結節された釣針７１を意味している。
【００１９】
図において、釣り用仕掛の包装体は、仕掛７を係止する台紙１（図１等）と、この台紙１を収納する袋体（収納袋）２（図６）とから構成されている。前記台紙１は、厚紙状の素材からなり、本体部分３は、中央に台板３１があり、該台板３１の左右に扉片３２が形成され、台板３１の下側には、折り返し部分４が形成されている。左右の扉片３２および折り返し部分４は、台板３１の左右縁と下縁からそれぞれ連続して形成されており、これら左右縁および下縁に対する境目には、折り畳みが容易となるように折曲線３３が形成されている。
【００２０】
図１に示す台板３１の上部には凹状の切欠３４が形成されており、この付近には、釣針７１を係止するための針掛片５が取り付けられている。この針掛片５は透明のＰＰ（ポリプロピレン）や塩ビ等の樹脂素材からなり、基端を台板３１の切込線３５に挿入し、上部は台板３１の先端部よりも突き出るように形成されている。これにより、釣針７１は台紙１からはみ出した状態で係止されるため、指先等で容易に摘むことができる。
【００２１】
台板３１には、図１のように、上部側から順に切込線３５、第一ハリスガイド３６、第四通し孔３７、および第二ハリスガイド３８が設けられている。切込線３５は、上記のように針掛片５の基端部分を挿入するためのもので、台板３１の長手方向に対して直角に設けられている。第一ハリスガイド３６は、ハリス７２（図２（ａ）参照）を挿通して保持するためのもので、カギ針などの冶具を用いなくても指先で容易に挿通できるようにするために、一端を自由端６１とした舌状片に形成し、その自由端６１が台板３１から持ち上がるようにしている。第四通し孔３７は、ハリス７２の尾部（釣針を結節した側とは反対側）近傍を係止するためのもので、２個の小穴６２が間隙を有して穿設され、これら小穴６２を接続する切込線６３が各小穴６２の左側に設けられている。この切込線６３にて形成される舌状片の一端部（自由端部）は、台板３１から持ち上がるようになっている。第二ハリスガイド３８は第一ハリスガイド３６と同一のもので、台板３１の下部近傍に設けられている。なお、本体部分３にハリスガイドおよび通し孔を設ける位置や個数については、仕掛の種類や形状に応じて適宜変更することが可能である。
【００２２】
折り返し部分４には、第一通し孔４１、第二通し孔４２、第三通し孔４３および固定片４４が設けられている。第一通し孔４１は、第二ハリスガイド３８を通過したハリス７２を係止するためのもので、２個の小穴６２が間隙を有して穿設され、これら小穴６２を接続する切込線６３が各小穴６２の右側に設けられている。また、この切込線６３は折り返し部分４から持ち上がるようにしている。さらに、この切込線６３は、折り返し部分４の右縁に到る切込６４により開口されている。第二通し孔４２は、２個の小穴６２が間隙を有して穿設され、これら小穴６２を接続する切込線６３が各小穴６２の固定片４４側に設けられている。また、この切込線６３は折り返し部分４から持ち上がるようにしている。第三通し孔４３は、第二通し孔４２と同一構造で同一機能を有するが、切込線６３が各小穴６２の右側に設けられている。固定片４４は、折り返し部分４を本体部分３側に折り畳んだときに、折り返し部分４と本体部分３を固定するためのもので、扉片３２と針掛片５との間に挿入される。
【００２３】
図２（ａ）に基づいて、台紙１に仕掛７を取り付ける手順を説明する（図２（ａ）は台紙１の内面側を示している）。なお、理解を容易にするために仕掛７は１組のみ図示している。まず、所定組数の仕掛（ハリスを結節した釣針）を束ねて持ち、台紙１の外面側（図２（ａ）の裏面側）から、釣針７１のフトコロ部分を針掛片５の先端部に係止する。次に、第一ハリスガイド３６の自由端６１を台板３１の外面側に持ち上げて、ハリス７２の線条部分を前記自由端６１に引っ掛けるようにして挿通した後、次いで第二ハリスガイド３８にも同様に挿通する。
【００２４】
次に、ハリス７２の線条部分を、折り返し部分４の右縁に開口されている切込６４から第一通し孔４１の小穴６２に通すことによって、それより先の部分を台紙１の内面側へ移す。次いで、第二通し孔４２の切込線６３を内面側に持ち上げて、ハリス７２の線条部分を引掛けるようにしてハリス７２を挿通し、引続き、第三通し孔４３および第四通し孔３７にも同様にハリス７２を挿通する。なお、第四通し孔３７から尾部までのハリス７２は固定せずに台板３１の内面側に載置する。このように、各ハリスガイドや通し孔の構造に基づいて、台紙１にハリス７２を係止させることは容易に行える。したがって、本考案の台紙１を用いれば、カギ針などの冶具を用いなくとも、仕掛７を台紙１に対して容易かつ迅速に取り付けることができる。
【００２５】
図２〜図４は、本考案の台紙の折り畳み手順を示す説明図である。図２（ａ）は、台紙１を内面側から見た展開図であり、台紙１に仕掛７が取付られた状態を示している。またハリス７２は、台紙１の内面側に係止されている部分を実線表示し、台紙１の外面側に係止されている部分を破線表示している。図２（ｂ）は左側の扉片３２を台板３１の上部に折り畳んだ状態を示したものである。図３（ｃ）は右側の扉片３２を、左側の扉片３２に被せるように折り畳んだ状態を示したものである。図３（ｄ）は折り返し部分４を、右側の扉片３２に被せるように本体部分３側に折り畳んだ状態を示したものである。図４（ｅ）は折り返し部分４の先端に設けられた固定片４４を折り曲げて、扉片３２と針掛片５との間に挿入した状態を示したものである。図４（ｆ）は図４（ｅ）を反転させた状態を示した図であり、これが台紙１を折り畳んだ後の表面側となる。
【００２６】
図５は、図４（ｅ）のＡ−Ａ断面図である。なお図５では、理解を容易にするために、台紙の板厚及びハリスの線径等を強調表示している。図５において、台紙１の本体部分３と折り返し部分４との折曲部１１は、左右の扉片３２を挟んだ状態で折り返されて曲面１２が形成されている。この曲面１２は半径２ｍｍ程度以上となっており、この曲面１２の外周に沿ってハリス７２が装着されているので、台紙１に仕掛７が取り付けられた状態で長期間保管されていても、ハリス７２に折れ曲がりクセがつかない。
【００２７】
図６は、本考案による袋体２の正面図であり、図７は、図６の窓部の拡大図である。図６〜図７において、袋体２は表面シート２１と裏面シート２２よりなり、表面シート２１と裏面シート２２との接合は両側縁および下端縁を圧着して接合されている。この表面シート２１と裏面シート２２はポリプロピレン等の薄い透明シートで形成されている。表面シート２１と裏面シート２２の上部は開口されており、この開口部分から折り畳まれた台紙１が挿入される。なお、表面シート２１を、図７のように裏面シート２２よりも短く形成すると、前記台紙１の挿入がより円滑に行える。
【００２８】
表面シート２１の上部には、凹状に切欠かかれた窓部２３が形成されている。この窓部２３は台紙１の上部に取り付けられた針掛片５が露出するように形成されている。裏面シート２２の上端には、フック受け部２４と蓋部２６が延設されている。このフック受け部２４には略三角形状のフック受け口２５が開口されており、蓋部２６は表面シート２１の窓部２３全体を覆う大きさに形成されている。蓋部２６と窓部２３周辺とが接触する面には粘着剤が塗布されている。この粘着剤は蓋部２６が窓部２３周辺と接着・剥離を繰り返し行うことができるものであればよく、接着剤を使用しても良い。
釣り用仕掛を取り付けたうえ図２〜図４の手順で折り畳んだ台紙１を、図６の袋体２内に図７のように挿入することにより、商品としての包装体ができあがる。
【００２９】
本考案による釣り針用仕掛の包装体は、たとえば以下のように使用することができる。使用者はまず袋体２を手にとり、蓋部２６を捲り挙げる。使用前は、蓋部２６は袋体２の窓部２３を被覆して固定されているが、使用者が蓋部２６を捲り上げると、図７のように袋体２の窓部２３から、台紙１の針掛片５に取り付けられた釣針７１が露出し、この釣針７１を引っ張り出すことで仕掛７を容易に取り出すことができる。また、蓋部２６には再剥離可能な粘着剤が塗布されているので、蓋部２６を元の位置に戻すと窓部２３を再び被覆することができる。このようにして、蓋部２６を開閉することで袋体２を何度も開閉することができる。仕掛７を取り出す際、台紙１を袋体２から取り出す必要がないので、袋体２が破損することがない。
【産業上の利用可能性】
【００３０】
本考案は、円滑な仕掛の取り外しなどの諸効果を発揮する、釣り針用仕掛の包装体の提供を図ることができたものであり、業務上またはレジャー用を問わず、釣用品として広く利用することができる。
【図面の簡単な説明】
【００３１】
【図１】本考案における台紙を外面側から見た展開図である。
【図２】（ａ）・（ｂ）は上記台紙の折り畳み手順を示した説明図である。
【図３】（ｃ）・（ｄ）は上記台紙の折り畳み手順を示した説明図である
【図４】（ｅ）・（ｆ）は上記台紙の折り畳み手順を示した説明図である
【図５】図４（ｅ）におけるＡ−Ａ断面図である。
【図６】本考案における袋体（収納袋）の正面図である。
【図７】図６の袋体における窓部の拡大図である。
【符号の説明】
【００３２】
１  台紙
２  袋体（収納袋）
３  本体部分
４  折り返し部分
５  針掛片
７  仕掛
１１  折り曲げ部
２３  窓部
３１  台板
３６・３８  ハリスガイド
３７・４１・４２・４３  通し孔
６４  切込
７１  釣針
７２  ハリス
【図１】
0003137772.tif 000003
【図２】
0003137772.tif 000004
【図３】
0003137772.tif 000005
【図４】
0003137772.tif 000006
【図５】
0003137772.tif 000007
【図６】
0003137772.tif 000008
【図７】
0003137772.tif 000009